(57)【要約】      （修正有）【課題】脱着が簡単で外れにくい、エプロン型の紙おむつカバーを提供する。【解決手段】エプロン型の胸当てと後足用サポートバンドが一体化しており、首の後ろ、背中、腰の各部で結んで固定することでズレにくく、装着や紙おむつの交換を立たせたままでできる。また圧迫感の解消と通気性を兼ねて、犬のストレス予防にも効果的である。【選択図】図５
0003112646.tif 000002
【実用新案登録請求の範囲】
【請求項１】
エプロン型の胸当て本体と、後足を差し込むズレ防止用の収納可能なゴム製サポートバンドが一体型を特徴とする、動物（主に犬）用のおむつカバー。
【請求項２】
エプロン型の胸当て外面は縫製可能な多様な素材を用い、内面は防水性のある素材を用いることで、洗濯が可能であることを特徴とする、動物（主に犬）用のおむつカバー。
【請求項３】
胸当てには首の後ろ、腰のそれぞれの部分において、ひも状に延長させた素材を結ぶ形をとり、背中部分は開放しており、脱着が簡単なことを特徴とする、動物（主に犬）用のおむつカバー。
【請求項４】
胸当てには首の後ろ、背中、腰のそれぞれの部分において、ひも状に延長させた素材を結ぶ形をとり、背中部分は開放しており、脱着が簡単なことを特徴とする、動物（主に胴長犬）用のおむつカバー。
【請求項５】
請求項３並びに請求項４における胸当ては、犬種、体型に応じて、その適応サイズを用意することを特徴とする、動物（主に犬）用のおむつカバー。
【考案の詳細な説明】
【技術分野】
【０００１】
本考案はオス犬の排尿マーキング習性を阻害することなく、人とペットが共存する生活環境の衛生管理を円滑に図るために、尿吸収用ナプキン製品を支えるエプロン型動物（主に犬）用の紙おむつカバーである。またオス犬の排尿マーキング習性対策のみならず高齢化した犬の介護用品や、着衣型による愛玩具市場の相乗効果も得られる。
【背景技術】
【０００２】
動物のマーキング習性はその種類により様々であるが、オス犬においては排尿によるマーキング行為が主で特定箇所に限らず頻繁に行われる。従来は、パンツ型や腹巻式の紙おむつを用いて排尿の吸収処理はなされているが、使い捨てタイプであるにもかかわらず製品単価が高価であるため、日常数十回行われる犬の排尿マーキングに対しては経済的な負担も大きい。またその構造上の特性により装着位置が安易にズレてしまったり、犬が自力ではずしてしまう場合が多く見られ、本来のおむつ機能を十分に満足できないため、困窮な衛生問題を解決するに至っていない。室内においては、尿吸収資材の置かれている犬専用のトイレで排尿することを習慣付ける場合もあるが、一度室外へ出ると環境変化に伴い、オス犬は排尿マーキング行為を本能的に行なうため、周辺社会への悪影響が懸念される。本考案は、そうした人と犬との共存社会において、犬本来の習性を強制的に阻害することなく、排尿による衛生問題を解決する目的で考案された。
【考案の開示】
【考案が解決しようとする課題】
【０００３】
オス犬の排尿マーキング習性を阻害することなく、脱着が簡単で、活発な犬の行動によっても外れにくい構造とし、従来のパンツ型や腹巻式の紙おむつのような高価な製品を用いなくても、おむつカバーを利用することで、安価な尿吸収用ナプキンの利用を実現できる。また本考案は、エプロン型とすることで、豊富な柄や意匠性を提供できるため、従来の無機質な紙おむつでは得られない、飼い主の趣向や犬の個性の要求に合わせた製品提供を可能とする。
【課題を解決するための手段】
【０００４】
エプロン型とし、首の後ろ、胴部、後ろ足の付け部で結んで固定し、本考案の特徴であるゴム式のサポートバンドにより、活発な行動でも腰部のズレを解消できる構造とする。装着や、尿吸収用ナプキンの交換も犬が立ったまま簡単にできるため、安心感を与え犬の不安を解消できる。犬の種類にかかわらず、その大きさや体系に対して柔軟な対応が可能となるが、特に胴長の犬種には効果的である。
【考案の効果】
【０００５】
オス犬に対して装着による負担を軽減し、体にフィットするエプロン型おむつカバーを実現した。オス犬の排尿マーキング習性に対して本考案を使用することで、室内を汚すことなく、犬の習性を受け入れることができ、家族一員としてのペットへの愛情が保たれるため、犬小屋の中に閉じ込めたままというような、非情な虐待行動を未然に防ぐことができる。また昨今、飲食店やホテル、公共交通機関、医療施設等においてもペット同伴の環境も充実され始めたため、周囲環境に対する飼い主の対処法としても本考案は有益である。紙おむつについては、安価な尿吸収用ナプキンの利用可能となるため、毎日数十回行われる排尿マーキングに対する飼い主の経済的な負担を軽減できる。
【考案を実施するための最良の形態】
【０００６】
エプロン型とし、首の後ろ、胴部、後ろ足の付け部で結んで固定し、特徴的なゴム製のサポートバンドにより、装着後の犬の活発な行動に対する紙おむつのズレを解消し、排泄物を的確に吸収することができる。またエプロン型とすることで、犬に対する圧迫感の解消と通気性を兼ねて、ストレス予防の効果を得ることが可能となる。
【実施例】
【０００７】
以下、添付図面に従って一実施例を説明する。１は内面が防水性の素材で、外面は縫製可能な多様な素材の胸当て、２、３及び４は動物（主に犬）の首の後ろ、背中、腰のそれぞれの位置で結んで胸当て本体を固定させるひも状の延長部、５は動物（主に犬）の後ろ足を差し込み、活発な動きに対して脱落やズレを防ぐことを可能にする、収納可能なゴム製のサポートバンドである。
【産業上の利用可能性】
【０００８】
エプロン型とすることで様々なファッション性が付与でき、ペット市場へ新しい製品の提案が実現できる。このことにより、祖父母、両親、子供、乳幼児、そしてペットという家族としての一体感が得られ、より一層愛情を深める相乗効果をもたらす。
【図面の簡単な説明】
【０００９】
【図１】本考案の紙おむつカバーを広げた状態を上から見た図である。
【図２】本考案の紙おむつカバーで、胴長犬種（ダックスフンド・ウェルシュコーギー等）対応品を広げた状態を上から見た図である。
【図３】本考案の紙おむつカバーを装着する準備のために広げた状態を下から見た図である。
【図４】本考案の紙おむつカバーで、胴長犬種（ダックスフンド・ウェルシュコーギー等）対応品を広げた状態を下から見た図である。
【図５】本考案の紙おむつカバー装着後の犬を側面から見た図である。
【図６】本考案の紙おむつカバーで、胴長犬種（ダックスフンド・ウェルシュコーギー等）対応品装着後の犬を側面から見た図である。
【符号の説明】
【００１０】
１  エプロン型紙おむつカバーの胸当て本体
２  胸当て本体を固定させる首部分のひも状延長部
３  胸当て本体を固定させる背中部分のひも状延長部
４  胸当て本体を固定させる腰部分のひも状延長部
５  後ろ足を差し込む収納可能なゴム製のサポートバンド
【図１】
0003112646.tif 000003
【図２】
0003112646.tif 000004
【図３】
0003112646.tif 000005
【図４】
0003112646.tif 000006
【図５】
0003112646.tif 000007
【図６】
0003112646.tif 000008
【手続補正書】
【提出日】平成17年5月18日(2005.5.18)
【手続補正１】
【補正対象書類名】実用新案登録請求の範囲
【補正対象項目名】全文
【補正方法】変更
【補正の内容】
【実用新案登録請求の範囲】
【請求項１】
エプロン型の胸当て本体と、後足を差し込むズレ防止用の収納可能なゴム製サポートバンドが一体型を特徴とする、排尿マーキング習性対策用エプロン型犬用のおむつカバー。
【請求項２】
エプロン型の胸当て外面は縫製可能な多様な素材を用い、内面は防水性のある素材を用いることで、洗濯が可能であることを特徴とする、請求項１記載の犬用おむつカバー。
【請求項３】
胸当てには首の後ろ、腰のそれぞれの部分において、ひも状に延長させた素材を結ぶ形をとり、背中部分は開放しており、脱着が簡単なことを特徴とする、請求項１記載の犬用おむつカバー。
【請求項４】
胸当てには首の後ろ、背中、腰のそれぞれの部分において、ひも状に延長させた素材を結ぶ形をとり、背中部分は開放しており、脱着が簡単なことを特徴とする、胴長犬種用の請求項１記載の犬用おむつカバー。
【手続補正２】
【補正対象書類名】明細書
【補正対象項目名】全文
【補正方法】変更
【補正の内容】
【考案の詳細な説明】
【技術分野】
【０００１】
本考案はオス犬の排尿マーキング習性を阻害することなく、人とペットが共存する生活環境の衛生管理を円滑に図るために、尿吸収用ナプキン製品を支えるエプロン型犬用のおむつカバーである。またオス犬の排尿マーキング習性対策のみならず高齢化した犬の介護用品や、着衣型による愛玩具市場の相乗効果も得られる。
【背景技術】
【０００２】
動物のマーキング習性はその種類により様々であるが、オス犬においては排尿によるマーキング行為が主で特定箇所に限らず頻繁に行われる。従来は、パンツ型や腹巻式の紙おむつを用いて排尿の吸収処理はなされているが、使い捨てタイプであるにもかかわらず製品単価が高価であるため、日常数十回行われる犬の排尿マーキングに対しては経済的な負担も大きい。またその構造上の特性により装着位置が安易にズレてしまったり、犬が自力ではずしてしまう場合が多く見られ、本来のおむつ機能を十分に満足できないため、困窮な衛生問題を解決するに至っていない。室内においては、尿吸収資材の置かれている犬専用のトイレで排尿することを習慣付ける場合もあるが、一度室外へ出ると環境変化に伴い、オス犬は排尿マーキング行為を本能的に行なうため、周辺社会への悪影響が懸念される。本考案は、そうした人と犬との共存社会において、犬本来の習性を強制的に阻害することなく、排尿による衛生問題を解決する目的で考案された。
【考案の開示】
【考案が解決しようとする課題】
【０００３】
オス犬の排尿マーキング習性を阻害することなく、脱着が簡単で、活発な犬の行動によっても外れにくい構造とし、従来のパンツ型や腹巻式の紙おむつのような高価な製品を用いなくても、おむつカバーを利用することで、安価な尿吸収用ナプキンの利用を実現できる。また本考案は、エプロン型とすることで、豊富な柄や意匠性を提供できるため、従来の無機質な紙おむつでは得られない、飼い主の趣向や犬の個性の要求に合わせた製品提供を可能とする。
【課題を解決するための手段】
【０００４】
エプロン型とし、首の後ろ、胴部、後ろ足の付け部で結んで固定し、本考案の特徴であるゴム式のサポートバンドにより、活発な行動でも腰部のズレを解消できる構造とする。装着や、尿吸収用ナプキンの交換も犬が立ったまま簡単にできるため、安心感を与え犬の不安を解消できる。犬の種類にかかわらず、その大きさや体系に対して柔軟な対応が可能となるが、特に胴長の犬種、例えばダックフンド、ウェルシュコーギーなどには効果的である。
【考案の効果】
【０００５】
オス犬に対して装着による負担を軽減し、体にフィットするエプロン型おむつカバーを実現した。オス犬の排尿マーキング習性に対して本考案を使用することで、室内を汚すことなく、犬の習性を受け入れることができ、家族一員としてのペットへの愛情が保たれるため、犬小屋の中に閉じ込めたままというような、非情な虐待行動を未然に防ぐことができる。また昨今、飲食店やホテル、公共交通機関、医療施設等においてもペット同伴の環境も充実され始めたため、周囲環境に対する飼い主の対処法としても本考案は有益である。紙おむつについては、安価な尿吸収用ナプキンの利用可能となるため、毎日数十回行われる排尿マーキングに対する飼い主の経済的な負担を軽減できる。
【考案を実施するための最良の形態】
【０００６】
エプロン型とし、首の後ろ、胴部、後ろ足の付け部で結んで固定し、特徴的なゴム製のサポートバンドにより、装着後の犬の活発な行動に対する紙おむつのズレを解消し、排泄物を的確に吸収することができる。またエプロン型とすることで、犬に対する圧迫感の解消と通気性を兼ねて、ストレス予防の効果を得ることが可能となる。
【実施例】
【０００７】
以下、添付図面に従って一実施例を説明する。１は内面が防水性の素材で、外面は縫製可能な多様な素材の胸当て、２、３及び４は犬の首の後ろ、背中、腰のそれぞれの位置で結んで胸当て本体を固定させるひも状の延長部、５は犬の後ろ足を差し込み、活発な動きに対して脱落やズレを防ぐことを可能にする、収納可能なゴム製のサポートバンドである。
【産業上の利用可能性】
【０００８】
エプロン型とすることで様々なファッション性が付与でき、ペット市場へ新しい製品の提案が実現できる。このことにより、祖父母、両親、子供、乳幼児、そしてペットという家族としての一体感が得られ、より一層愛情を深める相乗効果をもたらす。
【図面の簡単な説明】
【０００９】
【図１】本考案のおむつカバーを広げた状態を上から見た図である。
【図２】本考案のおむつカバーで、胴長犬種対応品を広げた状態を上から見た図である。
【図３】本考案のおむつカバーを装着する準備のために広げた状態を下から見た図である。
【図４】本考案のおむつカバーで、胴長犬種対応品を広げた状態を下から見た図である。
【図５】本考案のおむつカバー装着後の犬を側面から見た図である。
【図６】本考案のおむつカバーで、胴長犬種対応品装着後の犬を側面から見た図である。
【符号の説明】
【００１０】
１  エプロン型おむつカバーの胸当て本体
２  胸当て本体を固定させる首部分のひも状延長部
３  胸当て本体を固定させる背中部分のひも状延長部
４  胸当て本体を固定させる腰部分のひも状延長部
５  後ろ足を差し込む収納可能なゴム製のサポートバンド